(57)【要約】【課題】表示部がＩＣカードの一方の主面（表面）側のみに表示可能に設けられている場合、使用者がＩＣカードの情報を視認するためには、ＩＣカードの表裏を確認なければならない。ＩＣカードは薄型、軽量化が図られており手探りでは表裏の判別がつきにくく、利便性が悪い問題があった。【解決手段】ＩＣカードは第１主面及び第２主面の何れにも表示部（透明表示部）が配置されており、常に使用者に視認可能に情報が正像表示される。ＩＣカードは、受光手段により筐体の表裏の状態を判定する。そして、使用者が視認可能な主面側の表示部（透明表示部）に、使用者にとって情報が正像表示される。従って、ＩＣカードと外部装置間で情報を送受信する場合に、ＩＣカードの表裏を確認することなく、使用者は情報を視認できる。【選択図】    図１
2006099289.tif 000002
【特許請求の範囲】
【請求項１】
第１主面と、該第１主面に対向する第２主面を有する筐体と、
前記１主面および第２主面側のいずれからも視認可能な表示部と、
外部からの光を検知する受光手段と、
前記筐体内に設けられ、磁気信号と電気信号の変換を行うコイルと、
前記電気信号に基づく情報の制御を行う制御手段と、
前記表示部に前記情報を表示する表示制御手段と、を具備し、
前記受光手段の検知結果に基づき前記筐体の状態を判断し、前記第１主面または第２主面のいずれかの前記表示部に前記情報を使用者が視認可能な状態に表示することを特徴とするＩＣカード。
【請求項２】
第１主面と、該第１主面に対向する第２主面を有する筐体と、
前記１主面および第２主面に共通の透明表示部と、
外部からの光を検知する受光手段と、
前記筐体内に設けられ、磁気信号と電気信号の変換を行うコイルと、
前記電気信号に基づく情報の制御を行う制御手段と、
前記透明表示部に前記情報を表示する表示制御手段と、を具備し、
前記受光手段の検知結果に基づき前記筐体の状態を判断し、前記第１主面または第２主面のいずれかの前記透明表示部に使用者が視認可能な状態に前記情報を表示することを特徴とするＩＣカード。
【請求項３】
前記受光手段は、前記第１主面または第２主面の少なくとも一方に設けられることを特徴とする請求項１または請求項２のいずれかに記載のＩＣカード。
【請求項４】
前記受光手段の検知結果に基づき前記筐体の表裏を判定する判定手段を具備し、該判定手段の結果に応じて前記情報を正像表示することを特徴とする請求項１または請求項２のいずれかに記載のＩＣカード。
【請求項５】
前記判定手段は、前記受光手段の検知結果に基づき前記筐体の上下を判定し、該判定手段の結果に応じて前記情報を正像表示することを特徴とする請求項４に記載のＩＣカード。
【請求項６】
前記表示制御手段は表示データ反転手段を有し、前記受光手段の検知結果に応じて前記情報の表示データを反転させることを特徴とする請求項１または請求項２のいずれかに記載のＩＣカード。
【請求項７】
前記第１主面および第２主面の少なくとも一方に発光手段を設けることを特徴とする請求項１または請求項２のいずれかに記載のＩＣカード。
【請求項８】
前記コイルは外部装置と非接触で情報の授受を行うアンテナコイルであることを特徴とする請求項１または請求項２のいずれかに記載のＩＣカード。
【請求項９】
前記透明表示部は、陽極及び陰極に透明電極材料を用いた有機ＥＬ素子により構成されることを特徴とする請求項２に記載のＩＣカード。
【請求項１０】
第１主面と、該第１主面に対向する第２主面を有する筐体と、前記１主面および第２主面側のいずれからも視認可能な表示部と、外部からの光を検知する受光手段と、前記筐体内に設けられ、磁気信号と電気信号の変換を行うコイルと、前記電気信号に基づく情報の制御を行う制御手段と、前記表示部に前記情報を表示する表示制御手段と、を有するＩＣカードと、
該ＩＣカードに光を照射する発光手段を有し、該ＩＣカードとデータの送受信を行う外部装置とを具備し、
前記ＩＣカードは前記受光手段により前記発光手段の光を受光し、検知結果に基づき前記筐体の状態を判断し、前記第１主面または第２主面のいずれかの前記表示部に前記情報を使用者が視認可能な状態に表示することを特徴とするＩＣカードシステム。
【請求項１１】
第１主面と、該第１主面に対向する第２主面を有する筐体と、前記１主面および第２主面側のいずれからも視認可能な表示部と、外部に対して発光する発光手段と、該発光手段の光を検知する受光手段と、前記筐体内に設けられ、磁気信号と電気信号の変換を行うコイルと、前記電気信号に基づく情報の制御を行う制御手段と、前記表示部に前記情報を表示する表示制御手段と、を有するＩＣカードと、
前記発光手段の光を反射する反射手段を有し、該ＩＣカードとデータの送受信を行う外部装置とを具備し、
前記ＩＣカードは前記反射手段により反射した光を前記受光手段により受光し、検知結果に基づき前記筐体の状態を判断し、前記第１主面または第２主面のいずれかの前記表示部に前記情報を使用者が視認可能な状態に表示することを特徴とするＩＣカードシステム。
【発明の詳細な説明】
【技術分野】
【０００１】
本発明は外部装置とデータを送受信するＩＣカードおよびＩＣカードシステムに係り、特に有機ＥＬ表示パネルを備えたＩＣカードおよびＩＣカードシステムに関する。
【背景技術】
【０００２】
ＩＣカードの普及に伴い、薄型の表示部を設けＩＣチップが保持する情報の表示を可能としたＩＣカードが開発されている。これにより使用者はＩＣカードの情報を視覚的に認識できるので、送受信データの確認や誤操作の防止等、利便性を高めることができる。
【０００３】
図１４は従来の表示機能付きＩＣカードを示す図である。
【０００４】
図の如く、ＩＣカードは、プラスチックシートＰＳおよびプラスチックカードＰＤ間に、液晶パネル１００、ＩＣモジュールＭＤ、表示制御モジュール５００およびフレキシブル配線板ＦＰＣ、リチウムポリマー電池ＰＷを、接着剤により張り合わされた構造である。
【０００５】
ＩＣモジュールＭＤには個人情報などが格納され、表示制御モジュール５００はＩＣモジュールＭＤから供給される情報に基づき液晶パネル１００に表示する映像信号などを発生する。
【０００６】
これにより、ＩＣモジュールＭＤに格納される様々な情報２００が、液晶パネル１００に表示される。
【特許文献１】特開２００３−３３７３２１号公報
【発明の開示】
【発明が解決しようとする課題】
【０００７】
上記のようなＩＣカードは、液晶パネル１００がＩＣカードの一方の主面（表面）側のみに表示可能に設けられている。つまり使用者がＩＣカードの情報を視認するためには、ＩＣカードの表裏を確認した後、ＩＣカードと情報の授受を行うカードリーダライタ等の外部装置と通信する必要がある。一方で、ＩＣカードはその表面をなるべく平坦にする要望もあり手探りの状態では表裏の判別がつきにくい。従って、例えば周囲が暗い場合や、時間をかけて表裏の確認ができない場合など、利便性が悪い問題があった。
【課題を解決するための手段】
【０００８】
本発明は、係る課題に鑑みてなされ、第１に、第１主面と、該第１主面に対向する第２主面を有する筐体と、前記１主面および第２主面側のいずれからも視認可能な表示部と、外部からの光を検知する受光手段と、前記筐体内に設けられ、磁気信号と電気信号の変換を行うコイルと、前記電気信号に基づく情報の制御を行う制御手段と、前記表示部に前記情報を表示する表示制御手段と、を具備し、前記受光手段の検知結果に基づき前記筐体の状態を判断し、前記第１主面または第２主面のいずれかの前記表示部に前記情報を使用者が視認可能な状態に表示することにより解決するものである。
【０００９】
第２に、第１主面と、該第１主面に対向する第２主面を有する筐体と、前記１主面および第２主面に共通の透明表示部と、外部からの光を検知する受光手段と、前記筐体内に設けられ、磁気信号と電気信号の変換を行うコイルと、前記電気信号に基づく情報の制御を行う制御手段と、前記透明表示部に前記情報を表示する表示制御手段と、を具備し、前記受光手段の検知結果に基づき前記筐体の状態を判断し、前記第１主面または第２主面のいずれかの前記透明表示部に使用者が視認可能な状態に前記情報を表示することにより解決するものである。
【００１０】
また、前記受光手段は、前記第１主面または第２主面の少なくとも一方に設けられることを特徴とするものである。
【００１１】
また、前記受光手段の検知結果に基づき前記筐体の表裏を判定する判定手段を具備し、該判定手段の結果に応じて前記情報を正像表示することを特徴とするものである。
【００１２】
また、前記受光手段の検知結果に基づき前記筐体の上下を判定する判定手段を具備し、該判定手段の結果に応じて前記情報を正像表示することを特徴とするものである。
【００１３】
また、前記表示制御手段は表示データ反転手段を有し、前記受光手段の検知結果に応じて前記情報の表示データを反転させることを特徴とするものである。
【００１４】
また、前記第１主面および第２主面の少なくとも一方に発光手段を設けることを特徴とするものである。
【００１５】
また、前記コイルは外部装置と非接触で情報の授受を行うアンテナコイルであることを特徴とするものである。
【００１６】
また、前記透明表示部は、陽極及び陰極に透明電極材料を用いた有機ＥＬ素子により構成されることを特徴とするものである。
【００１７】
第３に、第１主面と、該第１主面に対向する第２主面を有する筐体と、前記１主面および第２主面側のいずれからも視認可能な表示部と、外部からの光を検知する受光手段と、前記筐体内に設けられ、磁気信号と電気信号の変換を行うコイルと、前記電気信号に基づく情報の制御を行う制御手段と、前記表示部に前記情報を表示する表示制御手段と、を有するＩＣカードと、該ＩＣカードに光を照射する発光手段を有し、該ＩＣカードとデータの送受信を行う外部装置とを具備し、前記ＩＣカードは前記受光手段により前記発光手段の光を受光し、検知結果に基づき前記筐体の状態を判断し、前記第１主面または第２主面のいずれかの前記表示部に前記情報を使用者が視認可能な状態に表示することにより解決するものである。
【００１８】
第４に、第１主面と、該第１主面に対向する第２主面を有する筐体と、前記１主面および第２主面側のいずれからも視認可能な表示部と、外部に対して発光する発光手段と、該発光手段の光を検知する受光手段と、前記筐体内に設けられ、磁気信号と電気信号の変換を行うコイルと、前記電気信号に基づく情報の制御を行う制御手段と、前記表示部に前記情報を表示する表示制御手段と、を有するＩＣカードと、前記発光手段の光を反射する反射手段を有し、該ＩＣカードとデータの送受信を行う外部装置とを具備し、前記ＩＣカードは前記反射手段により反射した光を前記受光手段により受光し、検知結果に基づき前記筐体の状態を判断し、前記第１主面または第２主面のいずれかの前記表示部に前記情報を使用者が視認可能な状態に表示することにより解決するものである。
【発明の効果】
【００１９】
本発明によれば、第１に、ＩＣカードは第１主面及び第２主面の何れにも表示部（透明表示部）が配置されており、常に使用者に視認可能に情報が正像表示される。具体的には、ＩＣカードは、受光手段により筐体の表裏の状態を判定する。そして、使用者が視認可能な主面側の表示部（透明表示部）に、使用者にとって情報が正像表示される。従って、ＩＣカードと外部装置間で情報を送受信する場合に、ＩＣカードの表裏を確認することなく、使用者は情報を視認できる。
【００２０】
第２に、ＩＣカードの上下も判定することにより、常に使用者に正常視認可能に情報が正像表示される。具体的には、ＩＣカードは、受光手段により筐体の上下および表裏の状態を判定する。そして、使用者が視認可能な主面側の表示部（透明表示部）に、使用者にとっての天地と情報の天地が一致するように、情報を正像表示する。従って、ＩＣカードの表裏及び上下を確認することなく、使用者は情報を正常に視認でき、ＩＣカードの利便性を大きく向上させることができる。
【００２１】
また、表示部（透明表示部）は有機ＥＬ素子の画素で構成され、液晶による表示部（ＬＣＤ）と比較して低消費電力が実現できる。
【００２２】
また、第１主面および第２主面に共通の透明表示部にすることにより、部品点数の削減やコストの低減、消費電力の抑制に大きく寄与できる。
【００２３】
また、有機ＥＬ素子の画素は面発光であるため、ＩＣカード（の表示部）に対して正面以外の方向からでも、表示部の発光を確認できる。非接触ＩＣカードでは特に表示部に対して斜め方向から視認する場合が多くなるが、そのような場合でも情報の視認が容易となる。
【００２４】
更に、発光素子をＩＣカードに備えることにより、既存の外部装置の変更を最小限に抑えることができる。
【発明を実施するための最良の形態】
【００２５】
本発明の実施の形態を図１から図１３を参照し、複数の文字又は数字の表示が可能な表示部を有するＩＣカードを例に詳細に説明する。
【００２６】
図１は第１の実施形態のＩＣカードを説明する図である。図１（Ａ）および図１（Ｂ）はＩＣカード１０の外観図であり、図１（Ｂ）は図１（Ａ）の主面と対向する主面の外観図である。また図１（Ｃ）は内部の構成を示す平面図である。
【００２７】
本実施形態のＩＣカード１０は、非接触状態で外部装置とデータの送受信を行い、データの記録、消去などが行える非接触型ＩＣカードであり、筐体１と、透明表示部２と、受光手段３と、ＩＣチップ４と、コイル５を有する。
【００２８】
筐体１は、第１主面１ａと、第１主面１ａに対向し第１主面１ａの裏面となる第２主面１ｂを有する。主に、ガラス繊維、アルミナ繊維、ポリエステル繊維、ポリアミド繊維などの合成樹脂や紙などの安価で薄いシート基材により構成され、軽量化、小型化、薄型化が図られている。また構造は、例えば、複数のプラスチック層をラミネートしたラミネート構造や、凹部を有するプラスチック基板の凹部をプラスチック層で閉じた箱型構造などが考えられるが、特に、これらの構造に限定されることはない。
【００２９】
筐体１内部には図１（Ｃ）のごとく、接着材などによりＩＣチップ４、配線６、コイル５等が固定される。
【００３０】
コイル５は、アンテナコイルであり、ＩＣカード１０が外部装置(例えばリーダライタ)に非接触で近接され、磁場の影響を受けると電磁誘導の原理で電力が発生する。そして、磁気信号と電気信号の変換を行う。アンテナコイル５は、例えば導体シートをエッチングする等して形成されて、図の如く筐体１周辺に沿って筐体１内部に配置され、ＩＣチップ４と接続する。ＩＣチップ４に構成された各種の動作を制御する回路や透明表示部２は、電磁誘導により発生した電力により駆動する。尚、アンテナコイル５は、電磁誘導を利用して外部装置と無線通信を行うものであれば、その方式は、コイルオンチップ（ＵＨＦ帯）あるいはチップにアンテナコイルを接続した１３．５６ＭＨｚ方式などいずれでもよい。また、アンテナが接続されていれば周波数は問わない。
【００３１】
ＩＣチップ４は例えば数字、文字などの情報を外部装置と非接触で送受信し、アンテナコイル５に発生した電力によってデータの記憶、消去、などを制御する制御回路、表示制御回路、ＩＣカード１０の状態を判定する判定回路等を少なくとも有する。制御回路は表示制御回路に対して表示データを送信すると共に、透明表示部２を駆動し、有機ＥＬ素子を発光させる。また、受光手段３の制御も行う。
【００３２】
ＩＣカード１０の外部に露出する第１主面１ａまたは第２主面１ｂの少なくとも一方には受光手段３が設けられる。
【００３３】
受光手段３は、フォトダイオード、フォトトランジスタなどであり、外部からの光を検知するいわゆるフォトセンサである。第１の実施形態では、外部装置からの発光を検知するため、例えばＩＣカードの第２主面にフォトセンサ３を設ける。そしてフォトセンサ３が外部装置からの発光を検知したか否かによりＩＣカード１０の表裏を判定し、その状態において使用者が視認可能なように透明表示部２に情報を表示する。
【００３４】
透明表示部２は、第１主面１ａおよび第２主面１ｂのいずれからも視認可能に設けられた共通の表示部であり、有機ＥＬ素子による発光画素が複数配置された有機ＥＬ表示パネルである。透明表示部２に表示される文字、数字などの情報Ｉは、一方の主面（例えば第１主面１ａ）側には正像表示され、同時に他の主面（例えば第２主面１ｂ）側には鏡像表示される。ここで、本明細書において正像とは、使用者が視認可能な情報Ｉの向きをいい、少なくとも情報Ｉの表裏が正しく認識される状態を言う。又、鏡像とは正像を鏡に映した状態を言う。
【００３５】
図２を参照し、情報Ｉの表裏について具体的に説明する。まず説明上、筐体１の第１主面１ａを表面（図２（Ａ））とし、第２主面１ｂを裏面（図２（Ｂ））と仮定する。
【００３６】
筐体１には一般的に文字または図柄（以下デザインＤと称する）が設けられている。そしてデザインＤにより使用者が筐体１の表裏を判別できる場合、使用者は筐体１の表面を視認するようにＩＣカード１０を保持して外部装置と送受信を行うことが一般的である。このように、表面が使用者に視認できる状態を第１状態とする（図２（Ａ））。一方、使用者が裏面を視認するようにＩＣカード１０が保持されている場合を第２状態とする（図２（Ｂ））。このように何れの場合も情報Ｉは表裏が正しい正像で表示されている。
【００３７】
図２（Ｃ）は、図２（Ａ）の状態における筐体１の裏面側の透明表示部２を示す。本実施形態では透明表示部２に一つの情報が表示されており、使用者が視認しない主面（外部装置との対向面）側では情報Ｉは図の如く鏡像表示される。図２（Ｂ）の場合も使用者が視認しない主面（筐体１の表面）側は鏡像表示である。しかし、筐体１の裏面を使用者に視認可能に保持した場合では、透明表示部２の情報Ｉは使用者にとって正像表示される（図２（Ｂ））。
【００３８】
本実施形態ではフォトセンサ３により、ＩＣカード１０が第１状態（表）か第２状態（裏）のいずれの状態で保持されているかを判定し、その状態において透明表示部２に情報Ｉが正像表示されるように、必要に応じて表示データを反転させる。
【００３９】
これにより、ＩＣカード１０の表裏によらず、使用者が視認する透明表示部２には常に情報Ｉが正像表示される。尚、透明表示部２については後に詳述する。
【００４０】
図３は第１の実施形態の電気的構成を示す図であり、図３（Ａ）が回路ブロック図であり、図３（Ｂ）が回路概要図である。
【００４１】
ＩＣチップ４には、制御回路４１、表示制御回路４３など各種の制御を行う回路が集積化されている。ＩＣチップ４内の各回路は、アンテナコイル５により発生した電力によって駆動する。制御回路４は、データ送受信や表示に関わる制御等を行う。フォトセンサ３もこの電力により駆動し、外部装置からの発光を受光する。判定回路４２は、フォトセンサ３の受光の有無により、ＩＣカード１０の状態が第１状態か第２状態のいずれであるか判定（後述）する。
【００４２】
制御回路４１は、表示制御回路４３に状態の判定結果と、表示データを送信する。また、表示部駆動回路４５により透明表示部２の有機ＥＬ素子を駆動する。有機ＥＬ素子は後述するが、第１主面１ａ（表面）側及び第２主面１ｂ（裏面）側が同時に駆動しており、１つの表示データを同時に表示する。このため、一方の主面側には正像表示され、他方の主面側には鏡面表示される。
【００４３】
表示制御回路４３は、インバータ回路などにより構成されるデータ反転回路４４を有する。データ反転回路４４は、判定回路４２の判定結果に基づき、表示データの反転を行う。例えば第１状態の場合は透明表示部２の表示部駆動回路４５に表示データをそのまま出力する。第２状態の場合は、表示データの表裏を反転し、表示部駆動回路４５に出力する。
【００４４】
尚、図１（Ｃ）および図３では１つのＩＣチップ４内に各回路が構成される図を示したが、ＩＣチップ４は機能に応じて複数であってもよく、上記の回路がそれぞれ個別のチップで設けられていてもよい。
【００４５】
以下、図４を参照して、透明表示部２について、アクティブマトリクス型の有機ＥＬ表示パネルを例に説明する。図４（Ａ）は透明表示部２を示す回路概要図であり、図４（Ｂ）は透明表示部の一画素を示す断面概要図である。
【００４６】
透明表示部２は、ガラスまたはプラスチックなどの透明な絶縁性基板２０に形成される。例えばアクティブマトリックス型の透明表示部２の場合、基板２０上には、ソース線ＳＬおよびゲート線ＧＬが配置され、その交点付近に発光画素２５が接続されて行列状に配置される。また発光画素２５は、ＥＬ（Ｅｌｅｃｔｒｏ  Ｌｕｍｉｎｅｓｃｅｎｃｅ）素子とＥＬ素子の駆動トランジスタ、スイッチングトランジスタ等から構成される。駆動トランジスタおよびスイッチングトランジスタは例えば薄膜トランジスタ（Ｔｈｉｎ  Ｆｉｌｍ  Ｔｒａｎｓｉｓｔｏｒ；以下ＴＦＴと称する。）である。
【００４７】
そして透明表示部２側辺には、列側にソース線ＳＬを順次選択する水平方向走査回路２２が、行側にゲート線ＧＬに走査信号（ゲート信号）を送る垂直方向走査回路２３が配置される。また、ゲート線ＧＬやソース線ＳＬ等へ入力される各種信号を伝達する図示しない配線は、基板２０の側縁に集められ、外部接続端子２４に接続される。
【００４８】
既述のごとく透明表示部２は表示部駆動回路（ここでは不図示）に接続する。表示部駆動回路は透明表示部２への表示データ（データ信号）の出力や、有機ＥＬ素子に接続するトランジスタに対して駆動電圧を印加して有機ＥＬ素子を発光させるなど、透明表示部２の制御を行う。
【００４９】
図４（Ｂ）のごとく、発光画素２５は、ガラス、プラスチック等からなる透明の絶縁基板２０上に有機ＥＬ素子２１０を設けたものである。有機ＥＬ素子２１０は駆動ＴＦＴ２２０と接続する。駆動ＴＦＴは、基板２０上に半導体層２１３を設け、半導体層２１３には、真性又は実質的に真性であるチャネル２１３ｃと、この２１３ｃの両側にイオンドーピングを施してソース２１３ｓ及びドレイン２１３ｄを設ける。
【００５０】
半導体層２１３上にはゲート絶縁膜２１４およびゲート電極２１５を順に形成する。また、Ａｌ等によりソース２１３ｓに接続するソース電極２１２ｓ、ドレイン２１３ｄに対応するドレイン電極２１２ｄを設け、ドレイン電極２１２ｄを有機ＥＬ素子２１０に接続する。
【００５１】
尚、スイッチングＴＦＴも同様の構造であり、説明は省略する。また、ＴＦＴの構造は、図示したものに限らない。例えば図ではトップゲート構造であるがゲート電極２１５と半導体層２１３の積層順を逆にしたボトムゲート構造であってもよい。以下有機ＥＬ素子２１０について説明する。尚括弧内の数値は膜厚である。
【００５２】
有機ＥＬ素子２１０は、ドレイン電極２１２ｄと接続し、平坦化膜２２１上に陽極となる透明電極２０１（１５０ｎｍ）を設け、その上に正孔注入層（ＨＩＬ（Ｈｏｌｅ  Ｉｎｊｅｃｔｉｏｎ  Ｌａｙｅｒ）：１５ｎｍ）２０２および正孔輸送層（ＨＴＬ（Ｈｏｌｅ  Ｔｒａｎｓｐｏｒｔ  Ｌａｙｅｒ）：１００ｎｍ）２０３、発光層（ＥＭＬ（Ｅｍｍｉｓｉｏｎ  Ｌａｙｅｒ）：３０ｎｍ）２０４、電子輸送層（ＥＴＬ（Ｅｌｅｃｔｒｏｎ  Ｔｒａｎｓｐｏｒｔ  Ｌａｙｅｒ）：３０ｎｍ）２０５よりなる有機ＥＬ層２０６と、陰極２０７となる透明電極を積層したものである。
【００５３】
これらの画素２５が縦横にマトリクス状に配置される。そして基板の周辺にはシール剤（不図示）が塗布され、ガラス又はプラスチック等の透明な対向基板２１１により密封封止されて図４（Ａ）の有機ＥＬ表示パネル２が構成される。
【００５４】
本実施形態の透明表示部２は第１主面１ａ、第２主面１ｂの何れからも視認可能とするため、陽極２０１、陰極２０７のいずれも、例えばＩＴＯ（Ｉｎｄｉｕｍ  Ｔｉｎ  Ｏｘｉｄｅ）等の透明電極を用いる。
【００５５】
ここで、陰極２０７のＩＴＯ２０７ａ形成にスパッタ技術を用いると薄膜の有機ＥＬ層２０６にダメージを与える。有機ＥＬ層２０６がダメージを受け、特にＥＭＬ２０４が外気に触れると水分が侵入する。１つの画素２５に水分が入るとその画素２５が不良となる滅点欠陥となるだけでなく、水分が隣接する画素２５に次々と影響し、非発光領域となるダークスポットが増加する問題がある。
【００５６】
そこで、薄い金属の蒸着膜（フッ化リチウム（ＬｉＦ：５ｎｍ））およびアルミニウム（Ａｌ：１０ｎｍ）電極２０７ｃ形成後に保護層となる有機層（例えば、銅フタロシアニン（ＣｕＰｃ：２０ｎｍ））２０７ｂを形成し、その後ＩＴＯ２０７ａを形成するとよい。すなわち陰極２０７の構造は、ＬｉＦ／Ａｌ／ＣｕＰｃ／ＩＴＯとなっている。
【００５７】
陽極２０１には直流電源の正極が接続されており、陰極２０７には直流電源の負極が接続される。ＨＩＬ２０２およびＨＴＬ２０３は、正孔注入を陽極２０１から受けて輸送し、ＥＴＬ２０５は、電子注入を陰極２０７から受けて輸送する。直流電圧の供給により、陽極２０１からＨＴＬ２０３に流れ込む正孔と、陰極２０７からＥＴＬ２０５に流れ込む電子とが、ＥＭＬ２０４で再結合し、発光する。
【００５８】
本実施形態では陽極２０１、陰極２０７共にＩＴＯにより形成され、また有機ＥＬ素子２１０が形成される基板２０、および有機ＥＬ素子２１０を封止する対向基板２１１もプラスチック基板等の透明基板とする。また有機ＥＬ素子２１０の陽極２０１および陰極２０７を上記の構成にすることにより、トップエミッション構造と、ボトムエミッション構造の表示部を一体化したような構造となっており、ＥＭＬ２０４から発光された可視光は矢印の如く基板２０および対向基板２１１のいずれも透過する。表示データに基づき透過した可視光は、数字又は文字などの情報Ｉとして一方の主面（例えば第１主面１ａ）には使用者に対して正像で表示され、他方の主面（例えば第２主面１ｂ）には鏡像で表示される（図２（Ａ）（Ｃ））。
【００５９】
使用者が、筐体１の表裏によらず情報Ｉを視認するには、第１主面１ａおよび第２主面１ｂ側に表示部が必要となるが、上記の透明表示部２を用いることにより、１つの有機ＥＬ表示パネルで両主面側に情報Ｉを表示することができる。
【００６０】
従って、両主面にそれぞれ有機ＥＬ表示パネルを設けるものと比較して、コストや駆動消費電力を大幅に抑制し、また表示部の制御の複雑化も回避できる。
【００６１】
図５および図２を参照し、本実施形態のＩＣカードシステムおよびＩＣカード１０の表示例について説明する。図５（Ａ）は、データ送受信を行うＩＣカード１０と外部装置５０の外観図であり、図５（Ｂ）はＩＣカード１０の平面図である。尚、ＩＣカード１０の状態は使用者が表面を視認する第１状態とする。
【００６２】
外部装置５０は、ＬＥＤ、レーザまたは有機ＥＬ素子などの発光部５１を有する。この発光部５１は、例えば、ＩＣカード１０のフォトセンサ３に照射可能な位置（少なくとも一点鎖線の領域が照射される位置）に設ける。これにより、ＩＣカード１０の表裏がどのような状態で使用者に保持されているかが判定できる。
【００６３】
前述の如く、ＩＣカード１０には、第２主面１ｂの左上のコーナー部にフォトセンサ３が配置されている。外部装置５０からの発光をＩＣカード１０のフォトセンサ３で受光する。フォトセンサ３は、アンテナコイル５により発生した電力で駆動される。フォトセンサ３が光を検知したか否かにより、判定回路４２がＩＣカード１０の状態を判定する。
【００６４】
例えば第１状態の場合、ＩＣカード１０の右上コーナー部が下方から照射されると、フォトセンサ３が受光を検知する。表示制御回路４３は、ＩＣカード１０の状態に応じてデータ反転回路４４により表示データの反転を行い、透明表示部２に情報Ｉを正像表示する。第１状態では例えば表示データをそのまま表示する（図２（Ａ））。
【００６５】
第２状態ではフォトセンサ３が使用者側に向いており、発光部５１からの光が検知されない。この場合表示制御回路４３は、データ反転回路４４により表示データの反転を行い、使用者が視認する透明表示部２に情報Ｉを正像表示する。第１状態で表示データをそのまま表示するとした場合、第２状態では表示データの表裏を反転する（図２（Ｂ））。
【００６６】
尚、ここでの反転例は、第１状態を基準にしたものである。データ送受信後には、基準を第１状態に戻す処理を行ってもよいし、前回の状態を記憶しておき、その状態から次回送受信した筐体１の状態が反転になるか否かを判定する処理を行ってもよい。いずれにしても本実施形態のデータ反転回路は、情報Ｉの表裏が使用者にとって正常に認識できるような反転を行い、情報を正像表示させるものである。
【００６７】
尚、本実施形態では、フォトセンサ３でＩＣカード１０の状態が検知できればよく、フォトセンサ３の配置やパターンなどは上記の例に限らない。例えばＩＣカード１０の操作上の誤差を吸収するため、複数のフォトセンサにより短冊状の受光部３を設け（図６（Ａ））てもよい。またはカード端部に帯状に設ける（図６（Ｂ））、あるいはＩＣカード周囲を囲んで設ける（図６（Ｃ））などしてもよい。このように、受光部３の面積を広くすることにより操作上の誤差を少なくできる。
【００６８】
第１の実施形態は、部品としてフォトセンサ３が追加となるものの、データ反転回路４４および判定回路４２は平易な回路構成で実現できる。また既述のごとく１つの有機ＥＬ表示パネルを２つの主面で共用できるので、コストや駆動消費電力の増大を抑制し、利便性の高いＩＣカード１０を提供できる。
【００６９】
図７から図９は本発明の第２の実施形態について説明する。第２の実施形態はＩＣカード自身に発光手段７を有するものである。尚、以下第１の実施形態と同一の構成要素は同一符号とし、その説明を省略する。
【００７０】
図７はＩＣカード１０の概要を示す平面図である。図７（Ａ）はＩＣカード１０の表面側であり、図７（Ｂ）は裏面側である。また図８は、本実施形態のＩＣカードシステムを示す図であり、第１状態で外部装置５０と送受信する場合の外観図である。
【００７１】
図のごとく、第２の実施形態のＩＣカード１０は、筐体１に発光手段７が設けられる。発光手段７は、例えばＬＥＤやレーザ、有機ＥＬ素子などの発光素子７であり、例えば第２主面１ｂに設けられたフォトセンサ３と対応し、それらの近傍に設けられる。
【００７２】
図８のごとく、情報Ｉの送受信の際にはＩＣカード１０の発光素子７が発光し、外部装置５０の光反射面５２で反射する。光反射面５２は、発光素子７が反射可能な外部装置５０の一部の領域である。例えば光反射面５２は、限定的に光の反射率を高めた部材などを外部装置５０の一部に設ける等するとよい。ＩＣカード１０のフォトセンサ３は反射光を検知し、ＩＣカード１０が第１状態か第２状態のいずれであるかを判定する。
【００７３】
この場合ＩＣカード１０の発光を光反射面５２で反射させフォトセンサ３で検知する必要があるので、操作上の誤差が吸収できるように大きい面積で光反射面５２、発光素子７、およびフォトセンサ３を設けるとよい。例えば図の如くＩＣカードの一辺に沿った帯状に受光部３および発光部７を配置し、その形状に対応して光反射面５２を設ける。また図６に示すパターンに受光部３を設け、対応する発光部７を設けてもよい。透明表示部２には、第１の実施形態と同様、筐体１の状態（表裏）に応じて使用者が視認可能なように、情報Ｉが正像表示される（図７参照）。
【００７４】
図９を参照して第２の実施形態の回路について説明する。図９（Ａ）は回路ブロック図であり、図９（Ｂ）は回路概要図である。
【００７５】
アンテナコイル５により発生した電力によって、ＩＣチップ４内の各回路が駆動する。発光素子７およびフォトセンサ３もこれにより駆動し、フォトセンサ３は発光素子７の反射光を受光する。判定回路４２は、フォトセンサ３の受光の有無に基づき、ＩＣカード１０の状態が第１状態か第２状態のいずれであるか判定する。制御回路４１は、表示制御回路４３に状態の判定結果と、表示データを送信する。また、表示部駆動回路４５により透明表示部２の有機ＥＬ素子２１０を駆動する。有機ＥＬ素子２１０は、第１主面１ａ（表面）側及び第２主面１ｂ（裏面）側が同時に駆動しており、１つの表示データを同時に表示する。すなわち、一方の主面側には正像表示され、他方の主面側には鏡面表示される。送受信が完了しＩＣカード１０を外部装置５０から遠ざけると、電力の供給がなくなるので、発光素子７およびフォトセンサ３は待機状態となる。なお、表示制御回路４３およびＩＣカード１０の表示例は第１の実施形態と同様であるので、説明は省略する。
【００７６】
第２の実施形態において、外部装置５０の光反射面５２は例えば反射率の高い反射シールをＩＣカードとの対向面に貼り付けるなどで対応できるため、既存の外部装置５０の大幅な変更を回避して実施できる利点を有する。
【００７７】
また第１および第２の実施形態は、筐体１の表裏のみの判定であるため、複雑な判定回路４２が不要となるので、制御回路４１の負担を軽減することができる。またフォトセンサ３（および発光素子７）の配置面積が広く確保できるので、センシングできないなどの操作上の誤差を少なくできる。
【００７８】
尚、第１および第２の実施形態において、フォトセンサ３（および発光素子７）を第１主面１ａ側にも設け、それぞれの主面のフォトセンサ３で表裏を判定してもよい。
【００７９】
また、第１および第２実施形態では筐体１に設けたフォトセンサ３で検知する場合を例に説明したが、これに限らず、アクティブマトリクス型の有機ＥＬパネルの場合は、画素２５内にフォトセンサ３を設けてもよい。つまりＩＣカード１０の表裏が判定できればよいので、各画素２５の駆動に伴いフォトセンサ３を駆動させ、受光したフォトセンサ３（画素２５）の位置により、表裏を判定し、表示データを使用者に正像となるように表示することも可能である。
【００８０】
図１０は、第３の実施形態を示すＩＣカードの平面図である。
【００８１】
第３の実施形態は、第１の実施形態において筐体１の表裏に加えて更に筐体１の上下も判定できるものである。つまり、ここでは、情報Ｉの表裏が正常に表示され且つ、使用者にとっての天地と、情報Ｉの天地が一致する場合を正像とする。そして使用者にとって情報Ｉが常に正像表示される。
【００８２】
受光手段として、例えばＩＣカード１０の第１主面１ａの左上および右下のコーナー部に２つのフォトセンサ３ａ、３ｃを設ける。また第２主面１ｂの左上および右下のコーナー部に２つのフォトセンサ３ｂ、３ｄを設ける。尚図中の破線は、使用者が視認しない主面側のフォトセンサ３の位置である。
【００８３】
そして外部装置からの発光を検知したフォトセンサ３の位置により、ＩＣカード１０がどの様な状態で保持されているかを判定し、その状態において使用者が正常視認可能なように透明表示部２に情報Ｉを表示する。
【００８４】
つまり、図のごとく筐体１がどの様な状態であっても、透明表示部２に、情報Ｉの表裏が一致し、且つ使用者にとっての天地と情報Ｉの天地が一致するように情報Ｉが正像表示される。
【００８５】
図１０を参照し、情報Ｉの天地および表裏について具体的に説明する。まず説明上、筐体１に対して上下を仮定する。筐体１の上下は、例えば図１０（Ａ）の如く、ＩＣカード１０表面にデザインＤが有る場合、デザインＤを正常視認可能に配置した場合の上下を筐体１の上下と仮定する。また、第１主面１ａを表面（図１０（Ａ））とし、第２主面１ｂを裏面（図１０（Ｂ））と仮定する。
【００８６】
このような場合、一般的には、使用者は筐体１に記載されたデザインＤをガイドに、すなわちデザインＤが正常視認可能なようにＩＣカード１０を保持して外部装置と送受信を行う。このように、表面で、デザインＤの上下が使用者に正常視認できる状態を第１状態とする。この場合ＩＣカード１０（筐体１）の上下と使用者にとっての天地は一致する（図１０（Ａ））。
【００８７】
また、使用者が視認するＩＣカード１０の主面が裏面であり、ＩＣカード１０の上下はそのままに保持されている場合を第２状態とする。この場合筐体１の上下と使用者にとっての天地は一致する（図１０（Ｂ））。
【００８８】
更に、使用者がＩＣカード１０の表面を視認し、デザインＤの上下を逆に保持する場合を第３状態とする。このとき筐体１の上下と使用者にとっての天地は不一致となる（図１０（Ｃ））。
【００８９】
そして、使用者が裏面を視認し、ＩＣカード１０の上下も逆転して保持した場合を第４状態とする。この場合、筐体１の上下と使用者にとっての天地は不一致となる（図１０（Ｄ））。
【００９０】
第３の実施形態では第１〜第４状態の何れであっても、図１０のごとく使用者にとって情報Ｉが正像表示される。尚図１０の各状態における他の主面（外部装置と対向する面）側の透明表示部２は、図２（Ｃ）と同様に鏡像表示されている。
【００９１】
第３の実施形態の回路ブロック図および回路概要図は、図３と同様であるので図示は省略するが、第３の実施形態は、判定回路４２およびデータ反転回路４４での処理が異なるので、その部分について説明する。
【００９２】
表示制御回路４３は、インバータ回路などにより構成されるデータ反転回路４４を有する。データ反転回路４４は、判定回路４２の判定結果に基づき、表示データの天地の反転、表裏の反転を行う。例えば第１状態の場合は透明表示部２の表示部駆動回路４５に表示データをそのまま出力する。第２状態の場合は、第１状態を基準として表示データの表裏を反転し、駆動回路４５に出力する。第３状態の場合は、表示データの天地を反転し、第４状態の場合は表示データの天地を反転し、且つ表裏を反転して駆動回路４５に出力する。
【００９３】
ＩＣカードシステムの外観図も図５と同様であるが、第１〜第４状態を判定するため発光部５１は、フォトセンサ３のいずれかに集中的に照射できるような位置に設ける。例えば図１０（Ａ）の場合であればＩＣカード１０の裏面側のフォトセンサ３ｂ付近に照射可能な位置（少なくとも一点鎖線の領域）に設ける。これにより、状態に応じてフォトセンサ３の使い分けができ、ＩＣカード１０の上下表裏がどのような状態で使用者に保持されているかが判定できる。
【００９４】
第１主面１ａ側のフォトセンサ３ａ、３ｃは、第２および第４状態を検知するためのものとなり、第２主面１ｂ側のフォトセンサ３ｂ、３ｄは、第１および第３状態を検知するためのものとなる。
【００９５】
例えば第１状態の場合、ＩＣカード１０の右上コーナー部に発光部５１からの光が照射されると、フォトセンサ３ｂが受光を検知する。表示制御回路４３は、ＩＣカード１０の状態に応じてデータ反転回路４４により表示データの反転を行い、透明表示部２に情報Ｉを正像表示する。第１状態では表示データをそのまま表示する（図１０（Ａ））。
【００９６】
第２状態ではフォトセンサ３ａにより受光が検知される。表示制御回路４３は、データ反転回路４４により表示データの反転を行い、透明表示部２に情報Ｉを正像表示する。第１状態で表示データをそのまま表示するとした場合、第２状態では第１状態を基準として表示データの表裏を反転する（図１０（Ｂ））。
【００９７】
第３状態ではフォトセンサ３ｄにより受光が検知され、データ反転回路４４により表示データの天地を反転する。その結果デザインＤ（筐体１）の上下と情報Ｉの天地が不一致となるが使用者にとっては情報Ｉの天地が一致し、正像表示となる（図１０（Ｃ））。第４状態ではフォトセンサ３ｃにより受光が検知され、データ反転回路４４により表示データの天地および表裏が反転される。従って、使用者が視認する主面が裏面で且つ筐体１の上下が使用者の天地と不一致であっても、情報Ｉは正像表示される（図１０（Ｄ））。
【００９８】
尚、ここでの反転例は、第１状態を基準にしたものである。データ送受信後には、基準を第１状態に戻す処理を行ってもよいし、前回の状態を記憶しておき、その状態から次回送受信した状態がどのような反転になるかを判定する処理を行ってもよい。いずれにしても本実施形態のデータ反転回路４４は、情報Ｉの天地および表裏と、使用者の天地および表裏が一致するような反転を行い、常に使用者にとって情報Ｉを正像表示させるものである。
【００９９】
尚、本実施形態では、フォトセンサ３でＩＣカード１０の状態が検知できればよく、フォトセンサ３の配置などは上記の例に限らない。
【０１００】
例えば図１１の如く、ＩＣカード１０の操作上の誤差を吸収するため、複数のフォトセンサにより短冊状の受光部３を設けたり、またはカード端部に帯状に設け、アナログ的に受光を検知してもよい。
【０１０１】
第３の実施形態は、筐体１の上下表裏がどのような状態であっても常に使用者に情報Ｉを正像表示できる。透明表示部２が小さい場合などは、情報Ｉの天地も使用者にとっての天地と合致する方が視認が容易となる。
【０１０２】
また既述のごとく１つの有機ＥＬ表示パネルを２つの主面で共用できるので、コストや駆動消費電力の増大を抑制し、利便性の高いＩＣカードを提供できる。
【０１０３】
図１２は本発明の第４の実施形態について説明する。第４の実施形態のＩＣカード１０は自身に発光手段７を有し、第２の実施形態において筐体１の上下も判定するものである。
【０１０４】
図１２はＩＣカード１０の概要を示す平面図である。図１２（Ａ）はＩＣカード１０の表面側であり、図１２（Ｂ）は裏面側である。
【０１０５】
図のごとく、第４の実施形態のＩＣカード１０は、筐体１に発光手段７が設けられる。発光手段７は、例えばＬＥＤやレーザ、有機ＥＬなどの発光素子７であり、第１主面１ａおよび第２主面１ｂの各フォトセンサ３ａ〜３ｄと対応し、それらの近傍に設けられる。
【０１０６】
図８に示したように、情報の送受信の際にはＩＣカード１０の発光素子７が発光し、外部装置５０の光反射面５２で反射する。光反射面５２は、ＩＣカード１０と対向する外部装置５０の一部に設けられ、限定的に光の反射率を高めた部材などにより構成される。ＩＣカード１０のフォトセンサ３は反射光を検知し、ＩＣカード１０が第１状態から第４状態のいずれであるかを判定する。
【０１０７】
例えば第１の実施形態と同様の位置にフォトセンサ３が設けられ、これらに対応して発光素子７が設けられている場合には、一方の主面の２つのフォトセンサ３（３ａと３ｃまたは３ｂと３ｄ）が受光してしまう。このような場合、外部装置５０の光反射面５２を、各フォトセンサ３に集中的に照射可能なように限定的に設ける等して、第１〜第４状態を判断できるようにするとよい。
【０１０８】
透明表示部２には、図１２のごとく、筐体１の状態に応じて使用者が正常視認可能なように、情報Ｉが正像表示される。
【０１０９】
第４の実施形態の回路ブロック図および回路概要図は図９と同様であるので説明は省略するが、判定回路４２は、受光が検知されたフォトセンサ３の位置に基づき、ＩＣカード１０の状態が第１状態から第４状態のいずれであるか判定する。そしてこれに基づき、情報Ｉを一方の主面側に正像表示する。
【０１１０】
以上、第１から第４の実施形態において透明表示部２として各画素毎にトランジスタを配置したアクティブマトリクス構造の有機ＥＬ表示パネルについて説明した。しかしこれに限らず、パッシブ型有機ＥＬ表示パネルであってもよい。
【０１１１】
図１３にパッシブ型有機ＥＬ表示パネル２の断面概要図を示す。
【０１１２】
有機ＥＬ素子２１０は、基板２０上に陽極２０１を配置し、ＨＩＬ２０２、ＨＴＬ２０３、ＥＭＬ２０４、ＥＴＬ２０５の有機ＥＬ層２０６を順次積層して陰極２０７を設けた構造である。有機ＥＬ層２０６の詳細はアクティブマトリクス型と同様である。
【０１１３】
陽極２０１と陰極２０７はストライプ状であり互いに交差する格子状に配置される。各画素２５間にはピラ２２２が配置され各画素２５は両電極の交点に電圧を印加することにより駆動する。
【０１１４】
基板２０の周辺にはシール剤２０９が塗布され、ガラス又はプラスチック等の透明な対向基板２１１により密封封止される。
【０１１５】
パッシブ型の場合も、陽極２０１および陰極２０７に透明電極材料を採用し、陰極２０７構造をアクティブマトリクス型と同様とすることで、矢印のごとく、基板２０側および対向基板２１１側に情報Ｉに基づく可視光を発光させることができる。
【図面の簡単な説明】
【０１１６】
【図１】本発明のＩＣカードを示す（Ａ）外観図、（Ｂ）外観図、（Ｃ）平面図である。
【図２】本発明のＩＣカードの表示例を示す平面図である。
【図３】本発明のＩＣカードを説明する（Ａ）回路ブロック図、（Ｂ）回路概要図である。
【図４】本発明の透明表示部を示す（Ａ）回路概要図、（Ｂ）断面概要図である。
【図５】本発明の（Ａ）ＩＣカードおよび外部装置を示す外観図、（Ｂ）ＩＣカードの平面図である。
【図６】本発明のＩＣカードを示す平面図である。
【図７】本発明のＩＣカードを示す平面図である。
【図８】本発明のＩＣカードおよび外部装置を示す外観図である。
【図９】本発明のＩＣカードを説明する（Ａ）回路ブロック図、（Ｂ）回路概要図である。
【図１０】本発明のＩＣカードを示す平面図である。
【図１１】本発明のＩＣカードを示す平面図である。
【図１２】本発明のＩＣカードを示す平面図である。
【図１３】本発明の有機ＥＬ表示パネルを説明する断面図である。
【図１４】従来のＩＣカードを示す図である。
【符号の説明】
【０１１７】
１        筐体
１ａ      第１主面
１ｂ      第２主面      
２        透明表示部
３、３ａ、３ｂ、３ｃ、３ｄ        受光手段（フォトセンサ）
４        ＩＣチップ
５        コイル
６        配線
７        発光手段（発光素子）
１０      ＩＣカード
２０      絶縁性基板
２５      発光画素
２２      水平方向走査回路
２３      垂直方向走査回路
２４      外部接続端子
２５      発光画素
４１      制御回路
４３      表示制御回路
４２      判定回路
４４      データ反転回路
４５      表示部駆動回路
５０      外部装置
５１      発光部
５２      光反射面
２０１    陽極
２０２    ＨＩＬ
２０３    ＨＴＬ
２０４    ＥＭＬ
２０５    ＥＴＬ
２０６    有機ＥＬ層
２０７    陰極
２０８    パッシベーション膜
２０９    シール剤
２１０    有機ＥＬ素子
２１１    対向基板
２１２    配線
２１３    半導体層
２２０    駆動ＴＦＴ
２２１    平坦化膜          
２２２    ピラ
Ｉ        情報
Ｄ        デザイン
【図１】
2006099289.tif 000003
【図２】
2006099289.tif 000004
【図３】
2006099289.tif 000005
【図４】
2006099289.tif 000006
【図５】
2006099289.tif 000007
【図６】
2006099289.tif 000008
【図７】
2006099289.tif 000009
【図８】
2006099289.tif 000010
【図９】
2006099289.tif 000011
【図１０】
2006099289.tif 000012
【図１１】
2006099289.tif 000013
【図１２】
2006099289.tif 000014
【図１３】
2006099289.tif 000015
【図１４】
2006099289.tif 000016